(57)【要約】【課題】電力の供給がストップすると電気機器が動作を停止するために、電気機器で計時部を備えるようにすると、電力供給が遮断するたびに時刻合わせを行う必要がある。【解決手段】電気機器である冷蔵庫１０を、予備電力供給部３０９を備えている情報端末装置３００と接続させ、この情報端末装置３００に計時部１０１を備えるようにする。冷蔵庫１０でドア開閉回数を１日単位でカウントした場合においても、情報端末装置３００にカウント値設定部３０３を備えるようにして、１日が経過すると冷蔵庫１０が備えているドア開閉回数カウント部のカウント値を０に設定することによって１日単位でのドア開閉回数のカウントを可能にすることができる。【選択図】図８
2006146301.tif 000002
【特許請求の範囲】
【請求項１】
操作が行われたか否かを検知する操作検知部と、前記操作検知部が検知する回数をカウントする操作回数カウント部とを備える電気機器が接続されている情報端末装置において、前記情報端末装置は、時間を計時する計時部と、前記操作回数カウント部のカウント値を任意の値に設定するカウント値設定部とで構成され、前記計時部が第１の所定の時刻を計時すると前記カウント値設定部が前記操作回数カウント部のカウント値を０に設定する情報端末装置。
【請求項２】
前記情報端末装置は、日付を記憶する日付記憶部と、現在の日付を把握するカレンダー部とを備え、前記カウント値設定部が前記操作回数カウント部のカウント値の設定に成功すると前記カレンダー部から現在の日付を読み出し、現在の日付を前記日付記憶部に記憶する請求項１に記載の情報端末装置。
【請求項３】
前記情報端末装置は、前記電気機器と通信可能となるために前記電気機器に識別子を割り当てる機器登録部を備え、前記機器登録部が前記識別子を割り当てるときに前記カウント値設定部が前記操作回数カウント部のカウント値を設定する請求項１または２に記載の情報端末装置。
【請求項４】
前記情報端末装置は、前記操作回数カウント部のカウント値を取得するカウント値取得部と、前記カウント値取得部が取得したカウント値を報知する報知部とを備え、前記カウント値取得部は前記カレンダー部の把握する現在の日付と前記日付記憶部に記憶されている前回書き換えを行った日付とを比較して、同じ日付でない場合は、前記操作回数カウント部のカウント値を取得しない請求項２または３に記載の情報端末装置。
【請求項５】
前記電気機器は、電力供給を行う電源部と、前記電源部から電力供給が行われると前記情報端末装置にその旨を通知する電力供給開始通知部とを備え、前記情報端末装置は前記操作回数カウント部のカウント値を記憶するカウント値記憶部を備え、前記計時部が２４時間より短い第２の所定の時間を計時すると前記カウント値取得部は前記操作回数カウント部のカウント値を取得するともに前記カウント値記憶部に記憶し、前記カウント値設定部は、前記電気機器から電力供給が開始されたことを通知されると前記カウント値記憶部に記憶されているカウント値を前記操作回数カウント部のカウント値として設定する請求項１に記載の情報端末装置。
【請求項６】
前記情報端末装置は、電力供給を行う電力供給部と、前記電力供給部からの電力供給の有無を検知する電力供給監視部と、前記電力供給部からの電力供給が無い間前記情報端末装置に電力を供給する予備電力供給部とで構成され、前記予備電力供給部から前記電力供給部へ電力供給元が切り替わると、前記カウント値設定部は前記カウント値記憶部に記憶されているカウント値を前記操作回数カウント部のカウント値として設定する請求項５に記載の情報端末装置。
【請求項７】
請求項１〜６のいずれか１項に記載の情報端末装置の少なくとも一部をコンピュータに実行させるプログラム。
【発明の詳細な説明】
【技術分野】
【０００１】
本発明は、電気機器の使用状況を確認する情報端末装置とそのプログラムに関するものである。
【背景技術】
【０００２】
従来、この種の情報端末装置及びそのプログラムは、例えば１日の操作の回数（または使用電力量）をカウントしようとした場合に電気機器自身に計時部を備えて、計時部で１日を計時するとその時点でのカウント値（または使用電力量）をその日１日の操作回数（使用状況データ）として電気機器使用者に報知したり、電気機器と接続されているサーバーに通知して省エネを啓蒙するアドバイスを報知したりしている（例えば、特許文献１参照）。また、電気機器とサーバーとの間に情報端末装置を接続して情報端末装置で報知したりしている。
【０００３】
図１０は、特許文献１に記載された従来の情報端末装置とそのプログラムである。但し、この場合の情報端末装置は、電気機器と一体化した構成をとっており、図１０は電気機器の機能ブロック図となっている。
【０００４】
図１０に示すように電気機器は冷蔵庫１０であり、サーバー２０と接続されていている。冷蔵庫１０は計時部１０１と、冷蔵庫１０のドアの開状態を検知するドア開閉検知部１０２と、ドアの開閉回数をカウントするドア開閉カウント部１０３と、ドア開閉カウント部１０３からの出力を冷蔵庫の使用状況データとして記憶する記憶部１０４と、サーバー２０と通信するための送受信部１０５とで構成されている。ここで、冷蔵庫１０は、計時部１０１が所定の時間を計時すると送受信部１０５を経由してサーバー２０に使用状況データを送信する。
【０００５】
また、サーバー２０は、冷蔵庫１０と通信するための送受信部２０１と冷蔵庫１０から送信されるドアの開閉回数を累積する情報累積部２０２と集計して統計処理して比較する統計処理部２０３とで構成されている。
【特許文献１】特開平１１−３３７２５２号公報
【発明の開示】
【発明が解決しようとする課題】
【０００６】
しかしながら、前記従来の構成では、ドアの開閉回数を１日単位でカウントして、そのデータを冷蔵庫１０の１日の使用状況データとして利用しようとすると、午前０時（日付が変わるポイント）を冷蔵庫１０で把握するために計時部１０１に何らかの方法（手動若しくは、サーバー経由）で時刻を設定する必要がある。それは、電力の供給がストップすると、冷蔵庫１０が動作を停止するために、計時部１０１で計時していた時間がクリアされてしまうためである。このように、冷蔵庫１０に計時部１０１を搭載するとコンセントプラグの差し込みや停電が発生して、電力供給が遮断されるとその度ごとに時刻設定する必要があるという課題を有していた。
【０００７】
本発明は、前記従来の課題を解決するもので、冷蔵庫１０に搭載されている計時部１０１への時刻合わせを省略させるために、計時部１０１自体を冷蔵庫１０から省く冷蔵庫１０（電気機器）を提供することを目的とする。
【課題を解決するための手段】
【０００８】
前記従来の課題を解決するために、本発明の情報端末装置およびそのプログラムは、操作が行われたか否かを検知する操作検知部と、前記操作検知部が検知する回数をカウントする操作回数カウント部とを備える電気機器が接続されている情報端末装置において、前記情報端末装置は時間を計時する計時部と、前記操作回数カウント部のカウント値を任意の値に設定するカウント値設定部とで構成され、前記計時部が第１の所定の時間（例えば午前０時）を計時すると前記カウント値設定部が前記操作回数カウント部のカウント値を０に設定するようにすることにより、例えば１日ごとの操作の回数をカウントしようとした場合に、前記情報端末装置が備えている計時部を使用して１日の経過を判断しているので、前記電気機器に計時部を備える必要が無くなる。また、前記情報端末装置によって、１日の経過するたびに前記操作回数カウント部のカウント値を任意の値（例えば０）に設定することによって、カウント値のデータサイズを設定しないでそのままカウントしつづける場合よりも小さいものにすることができる。
【発明の効果】
【０００９】
本発明の情報端末装置およびそのプログラムは、電力供給の遮断が発生するたびに実施していた時刻合わせ処理を省略させため、電気機器自体に計時部を備えさせなくても済むようにすることを目的とする。
【発明を実施するための最良の形態】
【００１０】
第１の発明は、操作が行われたか否かを検知する操作検知部と、前記操作検知部が検知する回数をカウントする操作回数カウント部とを備える電気機器が接続されている情報端末装置において、前記情報端末装置は、時間を計時する計時部と、前記操作回数カウント部のカウント値を任意の値に設定するカウント値設定部とで構成され、前記計時部が第１の所定の時間（たとえば午前０時）を計時すると前記カウント値設定部が前記操作回数カウント部のカウント値を０に設定するようにすることにより、１日ごとの操作の回数をカウントしようとした場合に、前記情報端末装置が備えている計時部を使用して１日の経過（午前０時の計時）を判断しているので、前記電気機器に計時部を備える必要が無くなる。また、前記情報端末装置によって、１日の経過によって前記操作回数カウント部のカウント値を０に設定することによって、カウント値のデータサイズを設定しないでそのままカウントしつづける場合よりも小さいものにすることができる。
【００１１】
第２の発明は、特に、第１の発明の情報端末装置が、日付を記憶する日付記憶部と、現在の日付を把握するカレンダー部とを備え、前記カウント値設定部が前記操作回数カウント部のカウント値の設定に成功すると前記カレンダー部から現在の日付を読み出し、現在の日付を前記日付記憶部に記憶することにより、前回前記カウント値設定部が前記操作回数カウント部のカウント値を設定した日付を前記日付記憶部に記憶することによって、前記操作回数カウント部のカウント値を書き換えるときに前回の書き換えが成功したか否かがわかる上に、１日に１回（午前０時に）前記操作回数カウント部のカウント値を書き換える場合に、書き換えを行う時間（午前０時）に前記情報端末装置が動作していなくて（書き換えが実施されていなくて）前記操作回数カウント部のカウント値を参照しようとした場合に、記憶された日付から前回書き換えを行った日付が昨日であることがわかるので、そのカウント値は、１日の間でカウントした値でないことが容易にわかる。
【００１２】
第３の発明は、特に、第１または第２の発明の情報端末装置が、前記電気機器と通信可能となるために前記電気機器に識別子を割り当てる機器登録部を備え、前記機器登録部が前記識別子を割り当てるときに前記カウント値設定部が前記操作回数カウント部のカウント値を設定するようにすることにより、前記情報端末装置と前記電気機器とが接続されてからの操作の回数を前記操作回数カウント部がカウントすることができる。
【００１３】
第４の発明は、特に、第２または３の発明の情報端末装置が、前記操作回数カウント部のカウント値を取得するカウント値取得部と、前記カウント値取得部が取得したカウント値を報知する報知部とを備え、前記カウント値取得部は前記カレンダー部の把握する現在の日付と前記日付記憶部に記憶されている前回書き換えを行った日付とを比較して、同じ日付でない場合は、前記操作回数カウント部のカウント値を取得しないようにすることにより、間違った情報を前記報知部で報知することを防止することができる。
【００１４】
例えばそれは、１日に１回（午前０時に）前記操作回数カウント部のカウント値を書き換える場合に、今日の午前０時の書き換えが成功していないと前記操作回数カウント部のカウント値は、１日の間でカウントした値ではない。そのため、前記日付記憶部に記憶されている前回書き換えを行った日付を参照してその日付をみて、今日の午前０時の書き換えが成功したか、失敗したかを判断することで、もし、今日の書き換えが成功していない場合には、前記カウント値取得部が前記操作回数カウント部のカウント値を取得しなければ、上記効果を得ることができる。
【００１５】
第５の発明は、特に、第１の発明の情報端末装置に接続される電気機器が、電力供給を行う電源部と、前記電源部から電力供給が行われると前記情報端末装置にその旨を通知する電力供給開始通知部を備え、前記情報端末装置は前記操作回数カウント部のカウント値を記憶するカウント値記憶部を備え、前記計時部が２４時間より短い第２の所定の時間を計時すると前記カウント値取得部は前記操作回数カウント部のカウント値を取得するともに前記カウント値記憶部に記憶し、前記カウント値設定部は、前記電気機器から電力供給が開始されたことを通知されると前記カウント値記憶部に記憶されているカウント値を前記操作回数カウント部のカウント値として設定するようにすることにより、前記電気機器にカウント値記憶部を備えさせ、前記操作回数カウント部のカウント値を記憶させなくても、前記電気機器単独で電力供給の遮断と再供給が行われた場合（たとえば電気機器が備えるコンセントプラグの抜き差しが行われた場合）、前記カウント値記憶部に記憶されている幾時間か前のカウント値を設定することができるので、今までカウントしてきた値を無駄になることを防止することができる。そのため、前記電気機器に記憶部を備えさせる必要がなくなる。
【００１６】
第６の発明は、特に、第５の発明の情報端末装置が、電力供給を行う電力供給部と、前記電力供給部からの電力供給の有無を検知する電力供給監視部と、前記電力供給部からの電力供給が無い（遮断されている）間前記情報端末装置に電力を供給する予備電力供給部とで構成され、前記予備電力供給部から前記電力供給部へ電力供給元が切り替わると、前記カウント値設定部は前記カウント値記憶部に記憶されているカウント値を前記操作回数カウント部のカウント値として設定するようにすることにより、以下効果を得ることができる。電力供給元が前記電力供給部から前記予備電力供給部に切り替わるタイミングは、停電時である。またその逆は、停電復旧時である。前記情報端末装置が停電中の時は、前記電気機器も停電中である。前記停電復旧時に前記カウント値設定部は前記カウント値記憶部に記憶されているカウント値を前記操作回数カウント部のカウント値として設定するので、前記電気機器は、カウント値記憶部を備え前記操作回数カウント部のカウント値を記憶させなくてもよくなる。
【００１７】
第７の発明は、特に、第１から６の発明の情報端末装置の機能の少なくとも１部をコンピュータで実現するプログラムである。そして、プログラムであるのでＣＰＵ（マイコン）、ＲＡＭ、ＲＯＭ、記憶装置、Ｉ／Ｏなどを備えた電気情報機器、コンピュータ、サーバー等のハードリソースを協働させて本発明の保管庫の少なくとも一部を容易に実現することができる。また記録媒体に記録したり通信回線を用いてプログラムを配信したりすることでプログラムの配布やインストール作業が簡単にできる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における情報端末装置が所属するシステムの概略図である。情報端末装置３００は、電気機器１である冷蔵庫１０と第１のネットワーク４０１で接続されていてホームネットワークを構成している。更に情報端末装置３００はサーバー２０と第２のネットワーク４０２で接続されている。情報端末装置３００は、上記のような構成でネット家電システムを構成している。
【００２０】
第１のネットワークは、通信媒体を無線として、情報端末装置３００と冷蔵庫１０にそれぞれ、無線ユニット４０３と４０４を備えるものとする。なお、第１のネットワークの通信媒体として無線を利用したが、電線や電源ラインにデータを重畳させる電灯線通信など有線であっても構わない。第２のネットワークは、通信媒体をアナログ電話回線、デジタル電話回線のような公衆回線網である。
【００２１】
また、サーバー２０へは、基地局４０５を経由して携帯電話４０６からアクセスすることも可能となっている。例えば、携帯電話４０６からサーバー２０で記憶している情報を確認することが可能となっている。なお、サーバー２０と基地局４０５間、基地局４０５と携帯電話４０６間は、公衆回線網を利用して接続されている。
【００２２】
次に図１に記載の情報端末装置３００と冷蔵庫１０とサーバー２０からなる本実施の形態のネット家電システムの構成ブロック図を図２に示す。図２において、情報端末装置３００は、計時部１０１と第１の送受信部３０１と第２の送受信部３０２とカウント値設定部３０３とカウント値取得部３０４と所定の情報を記憶する記憶部３０５と現在の日付を管理しているカレンダー部３０６とで構成されている。
【００２３】
計時部１０１とは、所定の時間を計時すると計時した旨を通知する処理部で、例えば冷蔵庫で１日あたりのドア開閉回数をカウントしようとした場合には、１日（午前０時から午前２４時まで）を把握しておかなければいけないので、午前０時を計時するとその旨を通知してくれるものである。
【００２４】
第１の送受信部３０１とは、第１のネットワーク４０１と接続するための処理部で、冷蔵庫のデータを取得しようとした場合、冷蔵庫のデータを設定しようとした場合には必ずこの処理部を介して行われるものとする。
【００２５】
第２の送受信部３０２とは、第２のネットワーク４０２と接続するための処理部で、サーバー２０にデータを送信する場合や、サーバー２０からメッセージが送信された場合には必ずこの処理部を介して通信が行われるものとする。
【００２６】
カウント値設定部３０３とは、冷蔵庫１０のドア開閉カウント部１０３でカウントしているドア開閉のカウント値を任意の値に設定する処理部で、通常、第１の所定の時間を計時部１０１が計時すると（午前０時を計時すると）、第１の送受信部３０１を介してカウント値０を設定する処理部である。なお、カウント値設定部３０３はカウント値の設定が成功するとカレンダー部３０６から現在の日付を取得し、記憶部３０５に記憶する。
【００２７】
カウント値取得部３０４とは、ドア開閉カウント部１０３のカウント値を第１の送受信部３０１を介して取得する処理部であり、第２の送受信部３０２を介してサーバー２０に送信する処理部である。
【００２８】
記憶部３０５は、日付記憶部のことをさし、ドア開閉カウント部のカウント値が設定された日付を数値として記憶するものとする。
【００２９】
冷蔵庫１０は、ドア開閉を検知するドア開閉検知部１０２とドア開閉回数をカウントするドア開閉カウント部１０３と第１のネットワーク４０１と通信可能とする送受信部１０５とで構成されている。なお、ドア開閉カウント部１０３とは、操作回数カウント部である。
【００３０】
ここで、ドア開閉カウント部１０３のカウント値は、カウント値設定部３０３によって１日に１回というようなタイミングで任意の値（０）に設定されるので、そのカウンタのデータサイズを例えば１バイト（０〜２５５）のような比較的小さいサイズにしてカウントする。なお、１日に２５５以上カウントした場合には、それ以上カウントしないものとする。
【００３１】
サーバー２０には、第２のネットワーク４０２と基地局４０５と通信可能とする送受信部２０１と、情報端末装置３００から送信されるドア開閉回数を累積情報として記憶する情報累積部２０２とで構成されている。なお、サーバー２０は、情報端末装置２０から受信したドア開閉回数を受信したドア開閉回数と受信した日付を対応付けて蓄積記憶するものとする。
【００３２】
携帯電話４０６には、基地局４０５と通信可能とする送受信部６０１と入力部６０２と、入力部６０２に入力が行われるとサーバー２０から蓄積情報とカウント値取得部３０４にドア開閉カウント部１０３のカウント値を取得するように命令し、そのカウント値を取得する情報取得部６０３と、情報取得部６０３が取得した各種情報を報知する報知部とで構成されている。
【００３３】
図３と図４に、本実施の形態における情報端末装置３００の動作を示すフローチャートを示す。図３は、ドア開閉カウント部１０３のカウント値を０に設定するときの情報端末装置３００の動作を示すフローチャートである。図４は、携帯電話４０６の操作（入力部６０２に入力）があった場合の情報端末装置３００の動作を示すフローチャートである。
【００３４】
図３において、計時部１０１が第１の所定の時間を計時すると（Ｓ３０１）、カウント値取得部３０４は、カレンダー部３０６から現在の日付（Ａ）を取得し（Ｓ３０２）、次に記憶部３０５から前回ドア開閉カウント部１０３のカウント値を０に設定した日付（Ｂ）を読み出し（Ｓ３０３）、（Ａ）と（Ｂ）を比較する（Ｓ３０４）。
【００３５】
Ｓ３０４で（Ｂ）の日付が（Ａ）よりも１日古い場合は、前の日にドア開閉カウント部１０３のカウント値を０に設定しているので、カウント値取得部３０４は、ドア開閉カウント部１０３のカウント値取得する（Ｓ３０５）。
【００３６】
次に、カウント値取得部３０４は、Ｓ３０５の取得が成功したかどうか判断し（Ｓ３０６）、成功していれば、サーバー２０にその取得したカウント値を送信する（Ｓ３０７）。
【００３７】
Ｓ３０４、Ｓ３０６で、前日のカウント値の設定が行われていなかったり、取得が失敗したり場合には、カウント値をマイナスの値を通知することで、サーバー２０がカウント値取得の失敗がわかるようにするものとする（Ｓ３０８）。
【００３８】
次に、カウント値設定部３０３は、ドア開閉カウント部１０３のカウント値を０に設定し（Ｓ３０９）、その設定が成功したか否か判断を行い（Ｓ３１０）、成功した場合は、カレンダー部３０６から現在の日付を取得し（Ｓ３１１）、記憶部３０５にその日付を記憶する（Ｓ３１２）。失敗した場合は、Ｓ３１１、Ｓ３１２の処理を行わない。
【００３９】
このことによって、カウント値設定部３０３のドア開閉カウント部１０３のカウント値を０に設定が成功したかわかるともに、その日付もわかる。
【００４０】
Ｓ３０５でカウント値取得部３０４からサーバー２０にドア開閉回数が通知されるとサーバーは、その情報を蓄積情報として蓄積情報記憶部２０２に蓄積記憶する。
【００４１】
図４において、携帯電話４０６に操作等による入力部６０２への入力が行われた場合（Ｓ４０１）、その旨がサーバー２０を経由して情報端末装置３００に伝わる。
【００４２】
携帯電話４０６の操作が、情報端末装置３００へ伝わるメカニズムについては、本発明の本題と外れる部分なので説明を省略する。
【００４３】
Ｓ４０１が行われると、カウント値取得部３０４は、カレンダー部３０６から現在の日付（Ａ）を取得し（Ｓ４０２）、記憶部３０５から前回ドア開閉カウント部１０３のカウント値を０に設定した日付（Ｂ）を取得し（Ｓ４０３）、図３とは違って今度は、（Ａ）と（Ｂ）が同じ日付であるか否かを判別する（Ｓ４０４）。
【００４４】
Ｓ４０４で同じ日付であった場合には、カウント値取得部３０４は、ドア開閉カウント部１０３のカウント値取得し（Ｓ４０５）、取得が成功したか否かを判別し（Ｓ４０６）、成功したならばサーバー２０を経由して携帯電話４０６にそのカウント値が送られるように、サーバー２０に対して取得したカウント値を送信する（Ｓ４０７）。
【００４５】
Ｓ４０４、Ｓ４０６で、前日のカウント値の設定が行われていなかったり、取得が失敗したり場合には、カウント値をマイナスの値を通知することで、サーバー２０がカウント値取得の失敗がわかるようにするものとする（Ｓ４０８）。
【００４６】
図５には、携帯電話４０６の報知部６０４で報知される冷蔵庫１０のドア開閉回数情報の一例である。図５の（ａ）画面で冷蔵庫１０のドア開閉回数の確認が選択されると（入力部６０２に入力が行われると）、携帯電話４０６は、冷蔵庫１０のドア開閉回数をサーバー２０で蓄積されている情報と現在冷蔵庫１０のドア開閉カウント部１０３でカウントしているカウント値（本日のドア開閉回数）を取得して、報知部６０４で報知することにより（図５の画面（ｂ））、冷蔵庫使用者が本日冷蔵庫１０を操作したか否かを示す安否情報として報知したりすることができる。
【００４７】
以上のように、本実施の形態おいては計時部１０１が第１の所定の時間を計時するとカウント値設定部３０３がドア開閉カウント部１０３のカウント値を０に設定することによって冷蔵庫１０に計時部を備えなくても、たとえば１日のドア開閉回数をカウントすることが可能であり、そのため冷蔵庫１０の停電復旧等の動作停止した後で再動作したときに必要となる時刻合わせを行う必要がなくなった。
【００４８】
なお、カウント値取得部３０４は、カウント値設定部３０３によって正しくカウント値の設定が行われていない場合（図３ではＳ３０４、図４ではＳ４０４で分岐がＮＯの場合）、ドア開閉カウント部１０３のカウント値を取得してもサーバー２０に送信しないようにしてもよい。
【００４９】
さらに、情報端末装置で入力部と報知部とを備えるようにして、情報端末装置３００でドア開閉回数を報知するようにしてもよい。その場合においては、安否確認としてよりは、冷蔵庫１０の使い方を知る上でのデータとして利用することができる。
【００５０】
（実施の形態２）
図６は、本発明の第２の実施の形態の情報端末装置３００が所属するシステムのシステム構成図である。情報端末装置３００は、冷蔵庫１０と第１のネットワーク４０１で接続されているものとする。
【００５１】
図６において、情報端末装置３００は、第１送受信部３０１とカウント値設定部３０３と所定の情報を記憶する記憶部３０５と現在の日付を管理しているカレンダー部３０６と機器登録部３０７とで構成されている。
【００５２】
ここで、機器登録部３０７とは、情報端末装置３００は冷蔵庫１０と通信を行うために第１の送受信部を介して冷蔵庫に識別子を割り当てるこの処理を行わないと情報端末装置３００と電気機器１である冷蔵庫１０は通信できない。この識別子を割り当てる処理を行うのが、機器登録部３０７である。なお、実施の形態１においては、特に説明を行わなかったが、この機器登録部３０７によって予め識別子が割り当てられた状態で本発明の説明を行っている（実施の形態３も同様）。
【００５３】
冷蔵庫１０は、ドア開閉検知部１０２とドア開閉カウント部１０３と送受信部１０５とを備えている。
【００５４】
図７に本実施の形態における情報端末装置３００の動作を示すフローチャートを示す。図７は、機器登録部３０７が冷蔵庫１０に識別子を割り当てる時の情報端末装置３００の動作を示すフローチャートである。
【００５５】
図７において、情報端末装置３００と冷蔵庫１０が通信を行うために、機器登録部３０７が冷蔵庫１０に識別子を割り当てると（Ｓ７０１）、カウント値設定部３０３は、ドア開閉カウント部１０３のカウント値を０に設定し（Ｓ７０２）、設定が成功した場合には（ｓ３０５）カレンダー部３０６から現在の日付を取得し（Ｓ７０４）、記憶部３０５にＳ７０５で取得した日付を記憶する（Ｓ７０４）。
【００５６】
以上のように、本実施の形態においては、情報端末装置３００と電気機器１である冷蔵庫１０とが通信し始めるときに、ドア開閉カウント部１０３のカウント値を０に設定することによって、通信開始前の冷蔵庫１０の状態を情報端末装置３００は関知していないので、ドア開閉カウント部１０３のカウント値がどのようになっているかわからないため通信開始時に同カウント値を０にすることによって、通信開始からのドア開閉回数をカウントすることが可能となる。
【００５７】
（実施の形態３）
図８は、本発明の第３の形態の情報端末装置が所属するシステムのシステム構成図である。実施の形態２と同様に情報端末装置３００は、冷蔵庫１０と第１のネットワーク４０１で接続されているものとする。
【００５８】
図６において、情報端末装置３００は実施の形態１のものに電力供給部３０８と予備電力供給部３０９と予備電力供給監視部３１０とが追加された構成をしている。
【００５９】
電力供給部３０８とは、情報端末装置３００が動作するための電力を供給する処理部で宅内に電力会社から供給される交流電力を情報端末装置３００が動作するために交流を直流に変換したり電圧を調整したりする処理部である。そのため、停電が発生したりすると電力供給を行うことが不可能となる。
【００６０】
予備電力供給部３０９は、電力供給部３０８からの電力供給が遮断されたときに、情報端末装置３００に電力を供給する処理部である。この予備電力供給部３０９は、電池であったりする。
【００６１】
電力供給監視部３１０は、電力供給部３０８から電力供給が行われているか否かを監視している処理部で、電力供給部３０８からの電力供給が遮断されると予備電力供給部３０９が電力供給するように切り替えたり、逆に電力供給部３０８からの電力供給が再開された場合には予備電力供給部３０９からの電力供給を停止させたりする処理部である。
【００６２】
本実施の形態における記憶部３０５とは、カウント値記憶部のことをさし、ドア開閉カウント部のカウント値を数値として記憶するものである。
【００６３】
冷蔵庫１０には、実施の形態１の冷蔵庫に電源部１０６と電力供給開始通知部１０７とが追加された構成をしている。
【００６４】
電源部１０６は、電力供給部３０８と同様に冷蔵庫１０の動作に必要な電力を供給する処理部である。冷蔵庫１０の場合、情報端末装置３００と異なり予備電力部を備えないので、停電等の電源部１０６からの電力供給が遮断されると動作を停止する。
【００６５】
電力供給開始通知部１０７は、電源部１０６からの電力供給が開始されると送受信部１０５を介して開始された旨を情報端末装置３００に通知する処理部である。
【００６６】
また、カウント値取得部３０４は、計時部１０１が第２の所定の時間（例えば、１時間）を計時すると、記憶部１０５に記憶されている前回ドア開閉カウント部１０３のカウント値を０に設定した日付を読み出し、現在の日付と同じ日であればドア開閉カウント部１０３のカウント値を取得し、記憶部３０５に記憶するものとする。
【００６７】
なお、このときの記憶は、サーバー２０に累積する場合と違って、カウント値を記憶するだけのものである。
【００６８】
なお、前回ドア開閉カウント部１０３のカウント値を０に設定した日付と現在の日付が異なる場合には、カウント値設定部３０３がドア開閉カウント部１０３のカウント値を０に設定するようにしてもよい。
【００６９】
図９に本実施の形態における情報端末装置３００の動作を示すフローチャートを示す。図９は、停電復旧時の情報端末装置３００の動作を示すフローチャートである。
【００７０】
図９において、停電時には、電力供給部３０８からの電力供給が遮断し（Ｓ９０１）、電力供給監視部３１０がその旨を検知し（Ｓ９０２）、予備電力供給部３０９からの電力が開始される（Ｓ９０３）。
【００７１】
次に停電が復旧すると、電力供給部３０８からの電力供給が再開し（Ｓ９０４）、その旨を電力供給検知部３０９が検知し（Ｓ９０５）、予備電源供給部３０８からの電力供給が停止する（Ｓ９０６）。
【００７２】
次にカウント値設定部３０３は、記憶部３０５が記憶するカウント値を読み出し（Ｓ９０７）、ドア開閉回数カウント部１０３のカウント値に設定する（Ｓ９０８）。
【００７３】
以上のように、停電が復旧すると幾時間か前のカウント値を設定することによって今までのカウント値を無駄にすることを防止する。
【００７４】
なお、冷蔵庫１０で電力供給が開始されると、電力供給開始通知部１０７によって、その旨を情報端末装置３００に通知することによって停電復旧を情報端末装置３００が把握できるとともに、単独で冷蔵庫１０の電力供給の遮断・再開が行われた（コンセントプラグの抜き差し等が行われた）場合にでも、記憶部３０５に記憶されたカウント値を設定して、今までのドア開閉カウント部１０３のカウント値を無駄にすることを防止することができる。
【産業上の利用可能性】
【００７５】
以上のように、本発明にかかる情報端末装置とそのプログラムは、電気機器に計時部を備えることを省かせることが可能となるので、電気機器において１日単位でカウントする必要のあるものである消費電力量の累積や、消耗品の交換時期の報知に適用することができる。電気機器は冷蔵庫に限らないし、操作回数は冷蔵庫のドアの開閉回数に限らない。
【図面の簡単な説明】
【００７６】
【図１】本発明の実施の形態１におけるシステムの概略図
【図２】本発明の実施の形態１におけるシステムの構成ブロック図
【図３】本発明の実施の形態１における情報端末装置のフローチャート
【図４】本発明の実施の形態１における情報端末装置のフローチャート
【図５】本発明の実施の形態１における携帯電話で報知される画面図
【図６】本発明の実施の形態２におけるシステムの構成ブロック図
【図７】本発明の実施の形態２における情報端末装置のフローチャート
【図８】本発明の実施の形態３におけるシステムの構成ブロック図
【図９】本発明の実施の形態３における情報端末装置のフローチャート
【図１０】従来の電気機器の機能ブロック図
【符号の説明】
【００７７】
１０  冷蔵庫（電気機器）
２０  サーバー
１０１  計時部
１０２  ドア開閉検知部（操作検知部）
１０３  ドア開閉カウント部（操作回数カウント部）
１０４  記憶部
１０５  送受信部
１０６  電源部
１０７  電力供給開始通知部
２０１  送受信部
２０２  情報累積部
２０３  統計処理部
３０１  第１の送受信部
３０２  第２の送受信部
３０３  カウント値設定部
３０４  カウント値取得部
３０５  記憶部（日付記憶部とカウント値記憶部とを兼ねる）
３０６  カレンダー部
３０７  機器登録部
３０８  電力供給部
３０９  予備電力供給部
３１０  電力供給監視部
４０１  第１のネットワーク
４０２  第２のネットワーク
４０３  無線ユニット
４０４  無線ユニット
４０５  基地局
４０６  携帯電話
６０１  送受信部
６０２  入力部
６０３  情報取得部
６０４  報知部
【図１】
2006146301.tif 000003
【図２】
2006146301.tif 000004
【図３】
2006146301.tif 000005
【図４】
2006146301.tif 000006
【図５】
2006146301.tif 000007
【図６】
2006146301.tif 000008
【図７】
2006146301.tif 000009
【図８】
2006146301.tif 000010
【図９】
2006146301.tif 000011
【図１０】
2006146301.tif 000012